(57)【要約】  波形等価器（１５、１６、２１）は、記録媒体（５０）から読み取られた読取信号をサンプリングして、複数のサンプル点を取得する取得手段と、該取得された複数のサンプル点のうち、ゼロクロスサンプル点前の複数のサンプル点各々の振幅値が相互に同じ値に近づくように、且つ、該ゼロクロスサンプル点後の複数のサンプル点各々の振幅値が相互に同じ値に近づくように、読取信号に対してフィルタリング処理を施すフィルタリング手段と、を備える。
2013171859.tif 000002
【特許請求の範囲】
【請求項１】
記録媒体から読み取られた読取信号をサンプリングして、複数のサンプル点を取得する取得手段と、
前記取得された複数のサンプル点のうち、ゼロクロスサンプル点前の複数のサンプル点各々の振幅値が相互に同じ値に近づくように、且つ、前記ゼロクロスサンプル点後の複数のサンプル点各々の振幅値が相互に同じ値に近づくように、前記読取信号に対してフィルタリング処理を施すフィルタリング手段と、
を備えることを特徴とする波形等価器。
【請求項２】
前記フィルタリング手段は、前記取得された複数のサンプル点のうち、ゼロクロスサンプル点直前の複数のサンプル点各々の振幅値が相互に同じ値に近づくように、且つ、前記ゼロクロスサンプル点直後の複数のサンプル点各々の振幅値が相互に同じ値に近づくように、前記読取信号に対して前記フィルタリング処理を施すことを特徴とする請求項１に記載の波形等価器。
【請求項３】
前記ゼロクロスサンプル点前の複数のサンプル点各々の振幅値の平均値と、前記ゼロクロスサンプル点後の複数のサンプル点各々の振幅値の平均値と、に基づいて、前記読取信号に係るジッタ値が算出される際に用いられる値である換算係数を算出する算出手段を更に備えることを特徴とする請求項１に記載の波形等価器。
【請求項４】
前記記録媒体には、夫々異なるランレングスを有する複数種類のデータパターンが形成されており、
前記ゼロクロスサンプル点前の複数のサンプル点は、前記複数種類のデータパターンに夫々対応する複数の読取信号各々についてのゼロクロスサンプル点直前のサンプル点であり、
前記ゼロクロスサンプル点後の複数のサンプル点は、前記複数種類のデータパターンに夫々対応する複数の読取信号各々についてのゼロクロスサンプル点直後のサンプル点である
ことを特徴とする請求項１に記載の波形等価器。
【請求項５】
前記複数種類のデータパターンのうち最短のランレングスを有するデータパターンに対応する読取信号についてのゼロクロスサンプル点直前のサンプル点と、前記最短のランレングスを有するデータパターンに対応する読取信号についてのゼロクロスサンプル点直後のサンプル点と、に基づいて、前記読取信号に係るジッタ値が算出される際に用いられる値である換算係数を算出する算出手段を更に備えることを特徴とする請求項４に記載の波形等価器。
【請求項６】
前記複数種類のデータパターンのうち長ランレングスを有するデータパターンに対応する読取信号についてのゼロクロスサンプル点前の複数のサンプル点と、前記長ランレングスを有するデータパターンに対応する読取信号についてのゼロクロスサンプル点後の複数のサンプル点と、に基づいて、前記読取信号に係るジッタ値が算出される際に用いられる値である換算係数を算出する算出手段を更に備えることを特徴とする請求項４に記載の波形等価器。
【請求項７】
記録媒体から読み取られた読取信号をサンプリングして、複数のサンプル点を取得する取得手段と、前記取得された複数のサンプル点のうち、ゼロクロスサンプル点前の複数のサンプル点各々の振幅値が相互に同じ値に近づくように、且つ、前記ゼロクロスサンプル点後の複数のサンプル点各々の振幅値が相互に同じ値に近づくように、前記読取信号に対してフィルタリング処理を施すフィルタリング手段と、を有する波形等価器を備える
ことを特徴とする情報再生装置。
【請求項８】
記録媒体から読み取られた読取信号をサンプリングして、複数のサンプル点を取得する取得工程と、
前記取得された複数のサンプル点のうち、ゼロクロスサンプル点前の複数のサンプル点各々の振幅値が相互に同じ値に近づくように、且つ、前記ゼロクロスサンプル点後の複数のサンプル点各々の振幅値が相互に同じ値に近づくように、前記読取信号に対してフィルタリング処理を施すフィルタリング工程と、
を備えることを特徴とする情報再生方法。
【請求項９】
情報再生装置に搭載されたコンピュータを、
記録媒体から読み取られた読取信号をサンプリングして、複数のサンプル点を取得する取得手段と、
前記取得された複数のサンプル点のうち、ゼロクロスサンプル点前の複数のサンプル点各々の振幅値が相互に同じ値に近づくように、且つ、前記ゼロクロスサンプル点後の複数のサンプル点各々の振幅値が相互に同じ値に近づくように、前記読取信号に対してフィルタリング処理を施すフィルタリング手段と、
として機能させることを特徴とするコンピュータプログラム。
【発明の詳細な説明】
【技術分野】
【０００１】
本発明は、例えば光ディスク等の情報記録媒体に記録されたデータを読み取ることで得られる読取信号に対してフィルタリング処理等の波形等価を行う波形等価器、該波形等価器を備える情報再生装置、情報再生方法、及びコンピュータプログラムの技術分野に関する。
【背景技術】
【０００２】
この種の装置が搭載される情報再生装置では、例えばサンプルデータを用いて再生信号のアシンメトリが検出されたり、複数のサンプルデータの極性が変化するときのサンプルデータを用いて再生信号のジッタが検出されたりする。ここでは特に、ゼロクロスポイントの前後のサンプル値から、再生信号の立ち上がりあるいは立ち下がりエッジの傾きを求め、該ゼロクロスポイントに対応するサンプルデータのサンプル値を正規化した結果を位相誤差及び位相誤差絶対値に用いることが記載されている（特許文献１参照）。【０００３】
この種の装置の一例としてのリミットイコライザにより、振幅制限値の上限及び下限を設定し、例えばゼロクロス点であるリファレンスサンプル点前後のサンプル点のバラツキを強制的に抑制して、例えばジッタ値を改善する方法が提案されている（特許文献２参照）。
【先行技術文献】
【特許文献】
【０００４】
【特許文献１】特開２００１−２５０３４１号公報
【特許文献２】国際公開ＷＯ２００８／０５３５４３号
【発明の概要】
【発明が解決しようとする課題】
【０００５】
しかしながら、上述の背景技術では、情報再生装置毎に又は測定毎に、例えばジッタ値のバラツキが大きくなる可能性があるという技術的問題点がある。【０００６】
本発明は、例えば上記問題点に鑑みてなされたものであり、装置間のバラツキを抑制しつつ、ジッタ値の測定精度を向上させることができる波形等価器、情報再生装置及び方法、並びにコンピュータプログラムを提供することを課題とする。
【課題を解決するための手段】
【０００７】
本発明の波形等価器は、上記課題を解決するために、記録媒体から読み取られた読取信号をサンプリングして、複数のサンプル点を取得する取得手段と、前記取得された複数のサンプル点のうち、ゼロクロスサンプル点前の複数のサンプル点各々の振幅値が相互に同じ値に近づくように、且つ、前記ゼロクロスサンプル点後の複数のサンプル点各々の振幅値が相互に同じ値に近づくように、前記読取信号に対してフィルタリング処理を施すフィルタリング手段と、を備える。【０００８】
本発明の情報再生装置は、上記課題を解決するために、記録媒体から読み取られた読取信号をサンプリングして、複数のサンプル点を取得する取得手段と、前記取得された複数のサンプル点のうち、ゼロクロスサンプル点前の複数のサンプル点各々の振幅値が相互に同じ値に近づくように、且つ、前記ゼロクロスサンプル点後の複数のサンプル点各々の振幅値が相互に同じ値に近づくように、前記読取信号に対してフィルタリング処理を施すフィルタリング手段と、を有する波形等価器を備える。【０００９】
本発明の情報再生方法は、上記課題を解決するために、記録媒体から読み取られた読取信号をサンプリングして、複数のサンプル点を取得する取得工程と、前記取得された複数のサンプル点のうち、ゼロクロスサンプル点前の複数のサンプル点各々の振幅値が相互に同じ値に近づくように、且つ、前記ゼロクロスサンプル点後の複数のサンプル点各々の振幅値が相互に同じ値に近づくように、前記読取信号に対してフィルタリング処理を施すフィルタリング工程と、を備える。【００１０】
本発明のコンピュータプログラムは、上記課題を解決するために、情報再生装置に搭載されたコンピュータを、記録媒体から読み取られた読取信号をサンプリングして、複数のサンプル点を取得する取得手段と、前記取得された複数のサンプル点のうち、ゼロクロスサンプル点前の複数のサンプル点各々の振幅値が相互に同じ値に近づくように、且つ、前記ゼロクロスサンプル点後の複数のサンプル点各々の振幅値が相互に同じ値に近づくように、前記読取信号に対してフィルタリング処理を施すフィルタリング手段と、として機能させる。【００１１】
本発明の作用及び他の利得は次に説明する実施するための形態から明らかにされる。
【図面の簡単な説明】
【００１２】
【図１】第１実施例に係る情報再生装置の構成を示すブロック図である。
【図２】第１実施例に係る信号振幅調整部の一例としてのバリアブルリミットイコライザの構成を示すブロック図である。
【図３】第１実施例に係る換算係数測定部の構成を示すブロック図である。
【図４】第１実施例に係るアナログ−デジタル変換回路から出力される信号波形の一例を示す概念図である。
【図５】第１実施例に係る信号振幅調整部から出力される信号波形の一例を示す概念図である。
【図６】測定されたジッタの一例を示す図である。
【図７】比較例に係るアナログ−デジタル変換回路から出力される信号波形の一例を示す概念図である。
【図８】比較例に係る測定されたジッタの一例を示す図である。
【図９】比較例に係る測定されたジッタの他の例を示す図である。
【図１０】第１実施例に係るジッタ測定処理を示すフローチャートである。
【図１１】第１実施例の変形例に係る換算係数の決定方法の一例を示す図である。
【図１２】第２実施例に係る情報再生装置の構成を示すブロック図である。
【図１３】第２実施例に係る波形等価器の構成を示すブロック図である。
【図１４】第２実施例に係るジッタ測定処理を示すフローチャートである。
【発明を実施するための形態】
【００１３】
以下、本発明の波形等価器、情報再生装置、情報再生方法及びコンピュータプログラム各々に係る実施形態について説明する。
【００１４】
（波形等価器の実施形態）
実施形態に係る波形等価器は、記録媒体から読み取られた読取信号をサンプリングして、複数のサンプル点を取得する取得手段と、該取得された複数のサンプル点のうち、ゼロクロスサンプル点前の複数のサンプル点各々の振幅値が相互に同じ値に近づくように、且つ、該ゼロクロスサンプル点後の複数のサンプル点各々の振幅値が相互に同じ値に近づくように、読取信号に対してフィルタリング処理を施すフィルタリング手段と、を備える。
【００１５】
読取手段は、例えば光ディスク等である記録媒体から読み取られた読取信号をサンプリングして、複数のサンプル点を取得する。尚、読取信号のサンプリングは、例えばアナログ信号である読取信号を、Ａ／Ｄ（Ａｎａｌｏｇ  ｔｏ  Ｄｉｇｉｔａｌ）変換することにより行えばよい。読取信号のサンプリングには、公知の各種態様を適用可能である。
【００１６】
フィルタリング手段は、取得された複数のサンプル点のうち、ゼロクロスサンプル点前の複数のサンプル点各々の振幅値が相互に同じ値に近づくように、且つ、該ゼロクロスサンプル点後の複数のサンプル点各々の振幅値が相互に同じ値に近づくように、読取信号に対してフィルタリング処理を施す。尚、「ゼロクロスサンプル点」とは、理想的にはサンプル点のレベル（振幅値）がゼロレベルであるべき点を意味する。
【００１７】
本願発明者の研究によれば、以下の事項が判明している。即ち、記録媒体には、夫々異なるランレングスを有する複数種類のデータパターン（例えば“２Ｔマーク”、“３Ｔマーク”、“４Ｔマーク”等）が形成されている。ゼロクロスサンプル点の振幅情報から時間軸方向のジッタ値が測定される場合、ジッタ換算係数が必要となる。このジッタ換算係数は、例えばゼロクロスサンプル点前後のサンプル点の振幅値等に基づいて決定されるため、何らの対策も採らなければ、複数種類のデータパターン毎に用意しなければならない。複数種類のデータパターン毎にジッタ換算係数を用意することは、回路規模の増加につながり、またデータパターンの検出精度によってはジッタ値にバラツキが生じるおそれがある。
【００１８】
しかるに本実施形態では、上述の如く、フィルタリング手段により、ゼロクロスサンプル点前の複数のサンプル点各々の振幅値が相互に同じ値に近づくように、且つ、該ゼロクロスサンプル点後の複数のサンプル点各々の振幅値が相互に同じ値に近づくように、読取信号に対してフィルタリング処理が施される。この結果、複数種類のデータパターン全てに適用可能なジッタ換算係数を決定することができる。言い換えれば、一つのジッタ換算係数を用いて、複数種類のデータパターン全てについてのジッタ値を測定することができる。従って、本実施形態に係る波形等価器から出力される信号を用いてジッタ値を測定すれば、装置間のバラツキを抑制しつつ、ジッタ値の測定精度を向上させることができる。
【００１９】
本実施形態に係る波形等価器の一態様では、前記フィルタリング手段は、前記取得された複数のサンプル点のうち、ゼロクロスサンプル点直前の複数のサンプル点各々の振幅値が相互に同じ値に近づくように、且つ、前記ゼロクロスサンプル点直後の複数のサンプル点各々の振幅値が相互に同じ値に近づくように、前記読取信号に対して前記フィルタリング処理を施す。
【００２０】
この態様によれば、比較低容易にして、複数種類のデータパターン全てに適用可能なジッタ換算係数を決定することができる。
【００２１】
本実施形態に係る波形等価器の他の態様では、前記ゼロクロスサンプル点前の複数のサンプル点各々の振幅値の平均値と、前記ゼロクロスサンプル点後の複数のサンプル点各々の振幅値の平均値と、に基づいて、前記読取信号に係るジッタ値が算出される際に用いられる値である換算係数を算出する算出手段を更に備える。
【００２２】
この態様によれば、比較的容易に換算係数を算出することができ、実用上非常に有利である。
【００２３】
本実施形態に係る波形等価器の他の態様では、前記記録媒体には、夫々異なるランレングスを有する複数種類のデータパターンが形成されており、前記ゼロクロスサンプル点前の複数のサンプル点は、前記複数種類のデータパターンに夫々対応する複数の読取信号各々についてのゼロクロスサンプル点直前のサンプル点であり、前記ゼロクロスサンプル点後の複数のサンプル点は、前記複数種類のデータパターンに夫々対応する複数の読取信号各々についてのゼロクロスサンプル点直後のサンプル点である。
【００２４】
この態様によれば、複数種類のデータパターン毎にジッタ換算係数を用意する必要がないので、比較的容易にして、装置間のバラツキを抑制しつつ、ジッタ値の測定精度を向上させることができる。
【００２５】
本実施形態に係る波形等価器の他の態様では、前記複数種類のデータパターンのうち最短のランレングスを有するデータパターンに対応する読取信号についてのゼロクロスサンプル点直前のサンプル点と、前記最短のランレングスを有するデータパターンに対応する読取信号についてのゼロクロスサンプル点直後のサンプル点と、に基づいて、前記読取信号に係るジッタ値が算出される際に用いられる値である換算係数を算出する算出手段を更に備える。
【００２６】
この態様によれば、比較的容易に換算係数を算出することができ、実用上非常に有利である。
【００２７】
或いは、本実施形態に係る波形等価器の他の態様では、前記複数種類のデータパターンのうち長ランレングスを有するデータパターンに対応する読取信号についてのゼロクロスサンプル点前の複数のサンプル点と、前記長ランレングスを有するデータパターンに対応する読取信号についてのゼロクロスサンプル点後の複数のサンプル点と、に基づいて、前記読取信号に係るジッタ値が算出される際に用いられる値である換算係数を算出する算出手段を更に備える。
【００２８】
この態様によれば、比較的容易に換算係数を算出することができ、実用上非常に有利である。
【００２９】
（情報再生装置の実施形態）
実施形態に係る情報再生装置は、記録媒体から読み取られた読取信号をサンプリングして、複数のサンプル点を取得する取得手段と、前記取得された複数のサンプル点のうち、ゼロクロスサンプル点前の複数のサンプル点各々の振幅値が相互に同じ値に近づくように、且つ、前記ゼロクロスサンプル点後の複数のサンプル点各々の振幅値が相互に同じ値に近づくように、前記読取信号に対してフィルタリング処理を施すフィルタリング手段と、を有する波形等価器を備える。
【００３０】
本実施形態に係る情報再生装置によれば、上述した本実施形態に係る波形等価器と同様に、装置間のバラツキを抑制しつつ、ジッタ値の測定精度を向上させることができる。
【００３１】
尚、本実施形態に係る情報再生装置も、本実施形態に係る波形等価器に係る各種態様と同様の各種態様を採ることができる。
【００３２】
（情報再生方法の実施形態）
実施形態に係る情報再生方法は、記録媒体から読み取られた読取信号をサンプリングして、複数のサンプル点を取得する取得工程と、前記取得された複数のサンプル点のうち、ゼロクロスサンプル点前の複数のサンプル点各々の振幅値が相互に同じ値に近づくように、且つ、前記ゼロクロスサンプル点後の複数のサンプル点各々の振幅値が相互に同じ値に近づくように、前記読取信号に対してフィルタリング処理を施すフィルタリング工程と、を備える。
【００３３】
本実施形態に係る情報再生方法によれば、上述した本実施形態に係る波形等価器と同様に、装置間のバラツキを抑制しつつ、ジッタ値の測定精度を向上させることができる。
【００３４】
尚、本実施形態に係る情報再生方法も、本実施形態に係る波形等価器に係る各種態様と同様の各種態様を採ることができる。
【００３５】
（コンピュータプログラムの実施形態）
実施形態に係るコンピュータプログラムは、情報再生装置に搭載されたコンピュータを、記録媒体から読み取られた読取信号をサンプリングして、複数のサンプル点を取得する取得手段と、前記取得された複数のサンプル点のうち、ゼロクロスサンプル点前の複数のサンプル点各々の振幅値が相互に同じ値に近づくように、且つ、前記ゼロクロスサンプル点後の複数のサンプル点各々の振幅値が相互に同じ値に近づくように、前記読取信号に対してフィルタリング処理を施すフィルタリング手段と、として機能させる。
【００３６】
本実施形態に係るコンピュータプログラムによれば、当該コンピュータプログラムを格納するＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−ＲＯＭ（ＤＶＤ  Ｒｅａｄ  Ｏｎｌｙ  Ｍｅｍｏｒｙ）等の記録媒体から、当該コンピュータプログラムを、情報再生装置に備えられたコンピュータに読み込んで実行させれば、或いは、当該コンピュータプログラムを通信手段を介してダウンロードさせた後に実行させれば、上述した本実施形態に係る情報再生装置を比較的容易にして実現できる。これにより、上述した本実施形態に係る情報再生装置と同様に、装置間のバラツキを抑制しつつ、ジッタ値の測定精度を向上させることができる。
【実施例】
【００３７】
本発明の情報再生装置に係る実施例について、図面に基づいて説明する。【００３８】
＜第１実施例＞
本発明の情報再生装置に係る第１実施例について、図１乃至図１０を参照して説明する。【００３９】
先ず、本実施例に係る情報再生装置の構成について、図１を参照して説明する。図１は、第１実施例に係る情報再生装置の構成を示すブロック図である。【００４０】
図１において、情報再生装置１０は、例えばＢｌｕ−ｒａｙ  Ｄｉｓｃ、ＤＶＤ等である光ディスク５０に対して光を照射可能な光学ピックアップ（ＯＰＵ）１１と、電流−電圧変換アンプ（Ｉ／Ｖ）１２と、アナログイコライザ１３と、アナログ−デジタル変換器（Ａ／Ｄ）１４と、信号振幅調整部１５と、換算係数測定部１６と、ジッタ測定部１７と、を備えて構成されている。【００４１】
信号振幅調整部１５には、例えば図２に示すようなバリアブルリミットイコライザを適用可能である。尚、図２は、第１実施例に係る信号振幅調整部の一例としてのバリアブルリミットイコライザの構成を示すブロック図である。【００４２】
バリアブルリミットイコライザは、図２に示すように、１クロックの遅延を付加する複数の遅延器（Ｄ）と、可変乗算係数（ここでは“−１．９２”及び“１．９２”）を有する複数の係数乗算器と、加算器と、を有する高域強調ブロックを備えて構成されている。該高域強調ブロックから出力される高域読取サンプル値は、３クロックの遅延を付加する遅延器（３Ｄ）を介して加算器に入力される読取サンプル値系列と加算される。この結果、バリアブルリミットイコライザからは、高域強調読取サンプル値系列が出力される。【００４３】
換算係数測定部１６は、図３に示すように、ゼロクロスサンプル検出回路と、平均化回路とを備えて構成されている。そして、換算係数測定部１６は、入力された信号に基づいて、換算係数Ｔｗａを出力する。図３は、第１実施例に係る換算係数測定部の構成を示すブロック図である。【００４４】
ゼロクロスサンプル検出回路は、信号Ｓａ、信号Ｓｂ及び信号Ｓｃに基づいてゼロクロスサンプルを検出する。具体的には、ゼロクロスサンプル検出回路は、下記の（ｉ）〜（ｉｖ）の条件を全て満たす場合に、信号Ｓｂをゼロクロスサンプルとして検出する。
（ｉ）信号Ｓａの絶対値が所定値より大きい。
（ｉｉ）信号Ｓｂの絶対値が所定値より小さい。
（ｉｉｉ）信号Ｓｃの絶対値が所定値より大きい。
（ｉｖ）信号Ｓａの符号が信号Ｓｃの符号と異なっている。【００４５】
ここで、上記「所定値」は、共通の値である。このような「所定値」は、例えば、ゼロクロス直前又は直後のサンプル値の絶対値の半値近傍の値として設定すればよい。バリアブルリミットイコライザ前の信号でゼロクロスサンプル検出を行えば、パターン判別無しに、所望のゼロクロスサンプル値を検出することができる。最短ランレングスを除外したランレングスのゼロクロスサンプルを検出するためには、「所定値」を最短ランレングスの振幅サンプル値より大きく、且つ最短ランレングス＋１Ｔの振幅値より小さく設定すればよい。【００４６】
尚、所定値を二つ（所定値１、所定値２）使用すれば、最短ランレングスのゼロクロスサンプルだけを検出することができる。この場合上記（ｉ）〜（ｉｖ）の条件は、次のようにすればよい。
（ｉ）´信号Ｓａの絶対値が所定値１より大きく、所定値２より小さい。
（ｉｉ）´信号Ｓｂの絶対値が所定値１より小さい。
（ｉｉｉ）´信号Ｓｃの絶対値が所定値１より大きく、所定値２より小さい。
（ｉｖ）信号Ｓａの符号が信号Ｓｃの符号と異なっている。
ここで、「所定値１」は、例えば最短ランレングスの振幅サンプル値の半値、「所定値２」は、例えば最短ランレングスの振幅サンプル値より大きく、且つ最短ランレングス＋１Ｔの振幅値より小さい値、として設定すればよい。【００４７】
ジッタ測定部１７は、ゼロクロスサンプルの絶対値の積算値と、換算係数測定部１６から出力された換算係数Ｔｗａとに基づいてジッタを測定する。【００４８】
ここで、ジッタ測定について、図７を参照して説明を加える。図７は、比較例に係るアナログ−デジタル変換回路から出力される信号波形の一例を示す概念図である。【００４９】
ジッタ測定では、時間軸方向のジッタ（即ち、σ／Ｔｗ×１００、“Ｔｗ”はクロック周期、“σ”は再生信号のエッジ（記録データパターンが“０”→“１”又は“１”→“０”に変化するトランジェント波形）の時間方向の揺らぎ分布の標準偏差）と、振幅軸方向のジッタ（即ち、σ´／Ｔｗ´×１００、“Ｔｗ´”は振幅方向のウィンドウ幅、“σ´”は再生信号のエッジに相当するゼロクロスサンプル値の振幅方向の揺らぎ分布の標準偏差）と、を一致させるという要求がある。これは、時間軸方向のジッタを直接するためには回路規模が比較的大きくなってしまうからである。【００５０】
ウィンドウ幅Ｔｗ´（本実施例に係る“換算係数Ｔｗａ”に相当）は、ゼロクロスサンプルの直前のサンプル（“Ｓ（ｎ−１）”参照）の振幅、及び該ゼロクロスサンプルの直後のサンプル（“Ｓ（ｎ＋１）”参照）の振幅に基づいて決定される。しかしながら、図７に示すように、ゼロクロスサンプルの直前のサンプル及び直後のサンプル各々の振幅にはバラツキが生じているため、ウィンドウ幅Ｔｗ´を一意的に決定することは困難である。つまり、時間軸方向のジッタを、振幅軸方向のジッタから間接的に測定することも難しい。【００５１】
このため、測定されたジッタは、例えば図８に示すように、標準再生機のジッタから大きくずれてしまう可能性がある。また、例えば図９に示すように、所定の換算係数を用いて、“Ｐｏｗｅｒ”が“０％”のときのジッタが、標準再生機のジッタと一致するようにしても、全ての領域において精度良くジッタを測定することは困難である。【００５２】
次に、本実施例に係る信号振幅調整部１５の動作について、図４及び図５を参照して具体的に説明する。図４は、第１実施例に係るアナログ−デジタル変換回路から出力される信号波形の一例を示す概念図である。図５は、第１実施例に係る信号振幅調整部から出力される信号波形の一例を示す概念図である。【００５３】
図４に示すように、アナログ−デジタル変換回路１４から出力された状態では、ゼロクロスサンプルの直前のサンプル及び直後のサンプル各々において、最短ランレングス（ここでは“３Ｔ”、Ｂｌｕ−ｒａｙ  Ｄｉｓｃの場合は“２Ｔ”）の記録データに対応するサンプルの振幅と、該最短ランレングス以外（例えば４Ｔ、５Ｔ等）の記録データに対応するサンプルの振幅と、は互いに異なっている。【００５４】
そこで、信号振幅調整部１５は、ゼロクロスサンプルの直前のサンプル及び直後のサンプル各々において、全てのランレングスの記録データに、夫々対応する複数のサンプル各々振幅が、相互に同じ値に近づくように、高域強調フィルタリング処理を施す。この結果、信号振幅調整部１５から出力される信号波形は、図６に示すように、ゼロクロスサンプルの直前のサンプル（“Ｓ（ｎ−１）”参照）及び直後のサンプル（“Ｓ（ｎ＋１）”参照）各々において、サンプルの振幅が略同一となる。【００５５】
このため、信号振幅調整部１５から出力された信号を用いれば、換算係数Ｔｗａ（比較例に係る“ウィンドウ幅Ｔｗ”に相当）を一意的に決定することができる。具体的には例えば、換算係数測定部１６は、ゼロクロスサンプルの直前のサンプルの振幅の平均値と、該ゼロクロスサンプルの直後のサンプルの振幅の平均値との差分の２分の１の値を、換算係数Ｔｗａとして決定する。或いは、換算係数測定部１６は、最短ランレングスの記録データに対応するゼロクロスサンプルの直前のサンプルの振幅と、該ゼロクロスサンプルの直後のサンプルの振幅との差分の２分の１の値を、換算係数Ｔｗａとして決定する。この結果、例えば図６に示すように、ジッタを精度良く求めることができる。【００５６】
次に、以上のように構成された情報再生装置１０におけるジッタ測定処理について、図１０のフローチャートを参照して説明する。【００５７】
図１０において、先ず、情報再生装置１０の制御部（図示せず）は、測定対象の光ディスクの測定倍速相当の周波数が、周波数強調周波数となるように、アナログイコライザ１３を制御する（ステップＳ１０１）。該ステップＳ１０１の処理と並行して又は相前後して、制御部は、周波数強調量が通常再生時の値となるように、アナログイコライザ１３を制御する（ステップＳ１０２）。【００５８】
次に、制御部は、信号振幅調整部１５から出力される信号を参照して、全てのランレングス各々について、ゼロクロスサンプルの直前のサンプルの振幅が略同一であり、且つ、該ゼロクロスサンプルの直後のサンプルの振幅が略同一であるか否かを判定する（ステップＳ１０３）。【００５９】
ゼロクロスサンプルの直前のサンプルの振幅及び、該ゼロクロスサンプルの直後のサンプルの振幅の少なくとも一方が略同一でないと判定された場合（ステップＳ１０３：Ｎｏ）、制御部は、信号振幅調整部１５に係る周波数強調量を調整して（ステップＳ１０４）、ステップＳ１０３の処理を実施する。【００６０】
他方、ゼロクロスサンプルの直前のサンプルの振幅が略同一であり、且つ、該ゼロクロスサンプルの直後のサンプルの振幅が略同一であると判定された場合（ステップＳ１０３：Ｙｅｓ）、制御部は、ゼロクロスサンプルの絶対値の積算値を求めるように、ジッタ測定部１７を制御する（ステップＳ１０５）。【００６１】
ステップＳ１０５の処理と並行して、制御部は、ゼロクロスサンプルの直前のサンプルの絶対値の積算値、及び該ゼロクロスサンプルの直後のサンプルの絶対値の積算値を求めるように、換算係数測定部１６を制御する（ステップＳ１０６）。この際、換算係数測定部１６は、換算係数Ｔｗａも平行して求める。【００６２】
次に、制御部は、ゼロクロスサンプルの絶対値の積算が終了したか否かを判定する（ステップＳ１０７）。ゼロクロスサンプルの絶対値の積算が終了していないと判定された場合（ステップＳ１０７：Ｎｏ）、制御部は、ステップＳ１０５の処理を実施する。【００６３】
他方、ゼロクロスサンプルの絶対値の積算が終了したと判定された場合（ステップＳ１０７：Ｙｅｓ）、制御部は、求められたゼロクロスサンプルの絶対値の積算値を積算回数で割った平均値と、求められた換算係数Ｔｗａとに基づいて、ジッタを算出するようにジッタ測定部１７を制御する（ステップＳ１０８）。【００６４】
尚、本実施例に係る「信号振幅調整部１５」及び「換算係数測定部１６」は、本発明に係る「波形等価器」の一例である。本実施例に係る「信号振幅調整部１５の入力」、「高域強調ブロック」及び「換算係数測定部１６」は、夫々、本発明に係る「取得手段」、「フィルタリング手段」及び「算出手段」の一例である。【００６５】
本実施例に係る技術は、家庭用の情報再生装置に限らず、例えば業務用のジッタ測定装置やジッタ測定方法にも適用可能である。【００６６】
＜変形例＞
次に、第１実施例の変形例について、図１１を参照して説明する。図１１は、変形例に係る換算係数の決定方法の一例を示す図である。【００６７】
本変形例では、長ランレングス（例えば“５Ｔ”等）の記録データに対応するゼロクロスサンプルの前の複数のサンプルの絶対値振幅の平均値、及び該ゼロクロスサンプルの後の複数のサンプルの絶対値振幅の平均値の少なくとも一方に基づいて、換算係数Ｔｗａが求められる。【００６８】
具体的には、換算係数測定部１６は、５Ｔの記録データに対応するゼロクロスサンプルの前の複数のサンプルの絶対値振幅の平均値（“Ｔｗａ＿Ｍａｒｋ”）及び、該ゼロクロスサンプルの後の複数のサンプルの絶対値振幅の平均値（“Ｔｗａ＿Ｓｐａｃｅ”）のうち、小さい方の値を、換算係数Ｔｗａとして求める。【００６９】
＜第２実施例＞
次に、本発明の情報再生装置に係る第２実施例について、図１２乃至図１４を参照して説明する。図１２は、第２実施例に係る情報再生装置の構成を示すブロック図である。図１３は、第２実施例に係る波形等価器の構成を示すブロック図である。図１４は、第２実施例に係るジッタ測定処理を示すフローチャートである。【００７０】
先ず、本実施例に係る情報再生装置の構成について、図１２を参照して説明する。図１２に示すように、本実施例に係る情報再生装置２０は、信号振幅調整部１５及び換算係数測定部１６に代えて、波形等価器２１を備えて構成されている。【００７１】
波形等価器２１は、図１３に示すように、１クロックの遅延を付加する複数の遅延器（Ｄ）と、乗算係数（ここでは“ａ”）を有する複数の係数乗算器と、加算器と、を有する高域強調ブロックと、係数乗算器（ここでは、乗算係数“ｂ”）と、を備えて構成されている。つまり、波形等価器２１には、バリアブルリミットイコライザを適用可能である。【００７２】
ここで、本願発明者の研究によれば、以下の事項が判明している。即ち、乗算係数ｂを固定（例えば、“ｂ＝１”）し、乗算係数ａを変更すると、ＤＣゲイン（即ち、長ランレングスに対応する記録データに係る信号振幅）を変更せずに、高域（即ち、短ランレングスに対応する記録データに係る信号振幅）を強調することができる。他方で、乗算係数ａ及びｂを夫々独立に制御すると、ゼロクロスサンプルの直前のサンプルの振幅値及び該ゼロクロスサンプルの直後のサンプルの振幅値を、所定の値とすることができる。【００７３】
このため第２実施例では、換算係数Ｔｗａを予め定めておき、該定められた換算係数Ｔｗａとなるように信号振幅を調整する。このように構成すれば、換算係数Ｔｗａを信号振幅から求める換算係数測定部１６（図１参照）を設けなくてよく、実用上非常に有利である。【００７４】
本実施例に係るジッタ測定処理について、図１４のフローチャートを参照して、具体的に説明する。【００７５】
図１４において、先ず、情報再生装置２０の制御部（図示せず）は、長ランレングスに対応する記録データのゼロクロスサンプルの直前のサンプルの振幅値及び該ゼロクロスサンプルの直後のサンプルの振幅値が、所定値（例えば、予め定められた換算係数Ｔｗａと同じ値）にほぼ等しいか否かを判定する（ステップＳ２０１）。【００７６】
長ランレングスに対応する記録データのゼロクロスサンプルの直前のサンプルの振幅値及び該ゼロクロスサンプルの直後のサンプルの振幅値が、所定値と略同一ではないと判定された場合（ステップＳ２０１：Ｎｏ）、制御部は、波形等価器２１の乗算係数ｂを調整する（ステップＳ２０２）。【００７７】
他方、長ランレングスに対応する記録データのゼロクロスサンプルの直前のサンプルの振幅値及び該ゼロクロスサンプルの直後のサンプルの振幅値が、所定値と略同一であると判定された場合（ステップＳ２０１：Ｙｅｓ）、制御部は、全てのランレングス各々について、ゼロクロスサンプルの直前のサンプルの振幅が略同一であり、且つ、該ゼロクロスサンプルの直後のサンプルの振幅が略同一であるか否かを判定する（ステップＳ２０３）。【００７８】
ゼロクロスサンプルの直前のサンプルの振幅及び、該ゼロクロスサンプルの直後のサンプルの振幅の少なくとも一方が略同一でないと判定された場合（ステップＳ２０３：Ｎｏ）、制御部は、波形等価器２１の乗算係数ａを調整する（ステップＳ２０４）。【００７９】
他方、ゼロクロスサンプルの直前のサンプルの振幅が略同一であり、且つ、該ゼロクロスサンプルの直後のサンプルの振幅が略同一であると判定された場合（ステップＳ２０３：Ｙｅｓ）、制御部は、ゼロクロスサンプルの絶対値の積算値を求めるように、ジッタ測定部１７を制御する（ステップＳ２０５）。【００８０】
次に、制御部は、ゼロクロスサンプルの絶対値の積算が終了したか否かを判定する（ステップＳ２０６）。ゼロクロスサンプルの絶対値の積算が終了していないと判定された場合（ステップＳ２０６：Ｎｏ）、制御部は、ステップＳ２０５の処理を実施する。【００８１】
他方、ゼロクロスサンプルの絶対値の積算が終了したと判定された場合（ステップＳ２０６：Ｙｅｓ）、制御部は、求められたゼロクロスサンプルの絶対値の積算値を積算回数で割った平均値と、予め定められた換算係数Ｔｗａとに基づいて、ジッタを算出するようにジッタ測定部１７を制御する（ステップＳ２０７）。【００８２】
本発明は、上述した実施形態に限られるものではなく、請求の範囲及び明細書全体から読み取れる発明の要旨或いは思想に反しない範囲で適宜変更可能であり、そのような変更を伴う波形等価器、情報再生装置及び方法、並びにコンピュータプログラムもまた本発明の技術的範囲に含まれるものである。
【符号の説明】
【００８３】
１０、２０…情報再生装置、１１…光ピックアップ、１２…電流−電圧変換アンプ、１３…アナログイコライザ、１４…アナログ−デジタル変換器、１５…信号振幅調整部、１６…換算係数測定部、１７…ジッタ測定部、２１…波形等価器、５０…光ディスク
【図１】
2013171859.tif 000003
【図２】
2013171859.tif 000004
【図３】
2013171859.tif 000005
【図４】
2013171859.tif 000006
【図５】
2013171859.tif 000007
【図６】
2013171859.tif 000008
【図７】
2013171859.tif 000009
【図８】
2013171859.tif 000010
【図９】
2013171859.tif 000011
【図１０】
2013171859.tif 000012
【図１１】
2013171859.tif 000013
【図１２】
2013171859.tif 000014
【図１３】
2013171859.tif 000015
【図１４】
2013171859.tif 000016
【手続補正書】
【提出日】平成26年11月13日(2014.11.13)
【手続補正１】
【補正対象書類名】特許請求の範囲
【補正対象項目名】全文
【補正方法】変更
【補正の内容】
【特許請求の範囲】
【請求項１】
記録媒体から読み取られた読取信号をサンプリングして、複数のサンプル点を取得する取得手段と、
前記取得された複数のサンプル点のうち、ゼロクロスサンプル点前の複数のサンプル点各々の振幅値が相互に同じ値に近づくように、且つ、前記ゼロクロスサンプル点後の複数のサンプル点各々の振幅値が相互に同じ値に近づくように、前記読取信号に対してフィルタリング処理を施すフィルタリング手段と、
前記ゼロクロスサンプル点前の複数のサンプル点各々の振幅値の平均値と、前記ゼロクロスサンプル点後の複数のサンプル点各々の振幅値の平均値と、に基づいて、前記読取信号に係るジッタ値が算出される際に用いられる値である換算係数を算出する算出手段と、
を備えることを特徴とする波形等価器。
【請求項２】
前記フィルタリング手段は、前記取得された複数のサンプル点のうち、ゼロクロスサンプル点直前の複数のサンプル点各々の振幅値が相互に同じ値に近づくように、且つ、前記ゼロクロスサンプル点直後の複数のサンプル点各々の振幅値が相互に同じ値に近づくように、前記読取信号に対して前記フィルタリング処理を施すことを特徴とする請求項１に記載の波形等価器。
【請求項３】
前記記録媒体には、夫々異なるランレングスを有する複数種類のデータパターンが形成されており、
前記ゼロクロスサンプル点前の複数のサンプル点は、前記複数種類のデータパターンに夫々対応する複数の読取信号各々についてのゼロクロスサンプル点直前のサンプル点であり、
前記ゼロクロスサンプル点後の複数のサンプル点は、前記複数種類のデータパターンに夫々対応する複数の読取信号各々についてのゼロクロスサンプル点直後のサンプル点である
ことを特徴とする請求項１に記載の波形等価器。
【請求項４】
前記算出手段は、前記複数種類のデータパターンのうち最短のランレングスを有するデータパターンに対応する読取信号についてのゼロクロスサンプル点直前のサンプル点と、前記最短のランレングスを有するデータパターンに対応する読取信号についてのゼロクロスサンプル点直後のサンプル点と、に基づいて、前記換算係数を算出することを特徴とする請求項３に記載の波形等価器。
【請求項５】
前記算出手段は、前記複数種類のデータパターンのうち長ランレングスを有するデータパターンに対応する読取信号についてのゼロクロスサンプル点前の複数のサンプル点と、前記長ランレングスを有するデータパターンに対応する読取信号についてのゼロクロスサンプル点後の複数のサンプル点と、に基づいて、前記換算係数を算出することを特徴とする請求項３に記載の波形等価器。
【請求項６】
記録媒体から読み取られた読取信号をサンプリングして、複数のサンプル点を取得する取得手段と、前記取得された複数のサンプル点のうち、ゼロクロスサンプル点前の複数のサンプル点各々の振幅値が相互に同じ値に近づくように、且つ、前記ゼロクロスサンプル点後の複数のサンプル点各々の振幅値が相互に同じ値に近づくように、前記読取信号に対してフィルタリング処理を施すフィルタリング手段と、前記ゼロクロスサンプル点前の複数のサンプル点各々の振幅値の平均値と、前記ゼロクロスサンプル点後の複数のサンプル点各々の振幅値の平均値と、に基づいて、前記読取信号に係るジッタ値が算出される際に用いられる値である換算係数を算出する算出手段と、を有する波形等価器を備える
ことを特徴とする情報再生装置。
【請求項７】
記録媒体から読み取られた読取信号をサンプリングして、複数のサンプル点を取得する取得工程と、
前記取得された複数のサンプル点のうち、ゼロクロスサンプル点前の複数のサンプル点各々の振幅値が相互に同じ値に近づくように、且つ、前記ゼロクロスサンプル点後の複数のサンプル点各々の振幅値が相互に同じ値に近づくように、前記読取信号に対してフィルタリング処理を施すフィルタリング工程と、
前記ゼロクロスサンプル点前の複数のサンプル点各々の振幅値の平均値と、前記ゼロクロスサンプル点後の複数のサンプル点各々の振幅値の平均値と、に基づいて、前記読取信号に係るジッタ値が算出される際に用いられる値である換算係数を算出する算出工程と、
を備えることを特徴とする情報再生方法。
【請求項８】
情報再生装置に搭載されたコンピュータを、
記録媒体から読み取られた読取信号をサンプリングして、複数のサンプル点を取得する取得手段と、
前記取得された複数のサンプル点のうち、ゼロクロスサンプル点前の複数のサンプル点各々の振幅値が相互に同じ値に近づくように、且つ、前記ゼロクロスサンプル点後の複数のサンプル点各々の振幅値が相互に同じ値に近づくように、前記読取信号に対してフィルタリング処理を施すフィルタリング手段と、
前記ゼロクロスサンプル点前の複数のサンプル点各々の振幅値の平均値と、前記ゼロクロスサンプル点後の複数のサンプル点各々の振幅値の平均値と、に基づいて、前記読取信号に係るジッタ値が算出される際に用いられる値である換算係数を算出する算出手段と、
として機能させることを特徴とするコンピュータプログラム。
【国際調査報告】
2013171859.tif 000017
2013171859.tif 000018
2013171859.tif 000019
2013171859.tif 000020